(57)【特許請求の範囲】
【請求項１】
消費者が使用する消費者端末と、複数の店舗にそれぞれ設置される複数の店舗サーバと、該消費者端末に情報を配信する情報配信サーバと、から構成される情報配信システムであって、
前記店舗サーバは、
前記店舗サーバ自身が設置される店舗及び該店舗が販売する商品を表す商品情報と、該商品に関連する商品及び該関連する商品を販売する店舗を表す関連商品情報と、を含む商品組合せ情報を前記情報配信サーバに送信する商品組合せ情報送信部と、
前記店舗サーバ自身が設置される店舗及び前記消費者が該店舗で購入した商品を表す購入商品情報と、該消費者を識別する消費者ＩＤと、を前記情報配信サーバに送信する購入商品情報送信部と、を備え、
前記情報配信サーバは、
前記店舗サーバから受信した商品組合せ情報と、前記消費者に該商品組合せ情報を提示する優先度を表す優先度情報と、を対応付けて記憶する関連商品情報記憶部と、
前記店舗サーバから受信した消費者ＩＤと、購入商品情報と、を記憶する購入商品情報記憶部と、
前記消費者端末から情報配信要求を受信する情報配信要求受信部と、
前記情報配信要求受信部により受信された情報配信要求を送信した前記消費者端末が位置する店舗、又は該消費者端末付近の店舗を特定する店舗特定部と、
前記関連商品情報記憶部に記憶された商品組合せ情報のうち、前記店舗特定部により特定された店舗を表す商品情報を含む商品組合せ情報と、該商品組合せ情報に対応する前記優先度情報と、に基づいて、前記優先度情報が表す優先度が高い順に並べた商品組合せ情報を含む組合せリスト情報を生成する組合せリスト情報生成部と、
前記組合せリスト情報生成部により生成された組合せリスト情報を、前記情報配信要求を送信した前記消費者端末に送信する組合せリスト情報送信部と、
前記購入商品情報記憶部に記憶された消費者ＩＤ毎に、該消費者ＩＤに対応する複数の購入商品情報の組合せのうち、前記関連商品情報記憶部に記憶された商品組合せ情報と一致する組合せを特定し、特定された組合せと一致した商品組合せ情報に対応する前記優先度情報を、所定の度合いだけ優先度が高くなるように更新する優先度情報更新部と、を備え、
前記消費者端末は、
前記消費者端末自身が、前記店舗サーバが設置される店舗内または付近に位置するとき、情報配信要求を前記情報配信サーバに送信する情報配信要求送信部と、
前記情報配信サーバから組合せリスト情報を受信する組合せリスト情報受信部と、を備える、
ことを特徴とする情報配信システム。
【請求項２】
前記商品組合せ情報送信部は、商品組合せ情報に含まれる商品情報が表す商品と、関連商品情報が表す関連商品と、の組合せを推奨する度合いを表す推奨度情報を、該商品組合せ情報と対応付けて前記情報配信サーバに送信し、
前記関連商品情報記憶部は、前記店舗サーバから受信した推奨度情報を、前記商品組合せ情報と対応付けて記憶し、
前記組合せリスト情報生成部は、前記関連商品情報記憶部に記憶される商品組合せ情報のうち、前記店舗特定部により特定された店舗を表す商品情報を含む商品組合せ情報と、該商品組合せ情報に対応する前記優先度情報及び前記推奨度情報と、に基づいて、前記優先度情報が表す優先度を対応する前記推奨度情報が表す推奨度により重み付けした度合いが高い順に並べた商品組合せ情報を含む組合せリスト情報を生成する、
ことを特徴とする請求項１に記載の情報配信システム。
【請求項３】
前記情報配信サーバは、店舗毎に、その店舗が販売する商品を関連する商品として表す関連商品情報を含む商品組合せ情報を、前記情報配信サーバに送信した前記店舗サーバが設置された店舗を表す情報と、該店舗サーバが該商品組合せ情報を前記情報配信サーバに送信した回数と、を記憶する登録回数記憶部をさらに備える、
ことを特徴とする請求項１または２に記載の情報配信システム。
【請求項４】
複数の店舗にそれぞれ設置される複数の店舗サーバ及び消費者が使用する消費者端末にネットワークを介して接続され、該消費者端末に情報を配信する情報配信サーバであって、
前記店舗サーバが設置される店舗及び該店舗が販売する商品を表す商品情報と、該商品に関連する商品及び該関連する商品を販売する店舗を表す関連商品情報と、を含む商品組合せ情報を前記店舗サーバから受信する商品組合せ情報受信部と、
前記商品組合せ情報受信部により受信された商品組合せ情報と、前記消費者に該商品組合せ情報を提示する優先度を表す優先度情報と、を対応付けて記憶する関連商品情報記憶部と、
前記店舗サーバが設置される店舗及び前記消費者が該店舗で購入した商品を表す購入商品情報と、該消費者を識別する消費者ＩＤと、を前記店舗サーバから受信する購入商品情報受信部と、
前記購入商品情報受信部により受信された消費者ＩＤと、購入商品情報と、を記憶する購入商品情報記憶部と、
前記消費者端末から情報配信要求を受信する情報配信要求受信部と、
前記情報配信要求受信部により受信された情報配信要求を送信した前記消費者端末が位置する店舗、又は該消費者端末付近の店舗を特定する店舗特定部と、
前記関連商品情報記憶部に記憶された商品組合せ情報のうち、前記店舗特定部により特定された店舗を表す商品情報を含む商品組合せ情報と、該商品組合せ情報に対応する前記優先度情報と、に基づいて、前記優先度情報が表す優先度が高い順に並べた商品組合せ情報を含む組合せリスト情報を生成する組合せリスト情報生成部と、
前記組合せリスト情報生成部により生成された組合せリスト情報を、前記情報配信要求を送信した前記消費者端末に送信する組合せリスト情報送信部と、
前記購入商品情報記憶部に記憶された消費者ＩＤ毎に、該消費者ＩＤに対応する複数の購入商品情報の組合せのうち、前記関連商品情報記憶部に記憶された商品組合せ情報と一致する組合せを特定し、特定された組合せと一致した商品組合せ情報に対応する前記優先度情報を、所定の度合いだけ優先度が高くなるように更新する優先度情報更新部と、
を備えることを特徴とする情報配信サーバ。
【請求項５】
複数の店舗にそれぞれ設置される複数の店舗サーバ及び消費者が使用する消費者端末にネットワークを介して接続される情報配信サーバが該消費者端末に情報を配信する情報配信方法であって、
前記店舗サーバが設置される店舗及び該店舗が販売する商品を表す商品情報と、該商品に関連する商品及び該関連する商品を販売する店舗を表す関連商品情報と、を含む商品組合せ情報を前記店舗サーバから受信するステップと、
受信された商品組合せ情報と、前記消費者に該商品組合せ情報を提示する優先度を表す優先度情報と、を対応付けて関連商品情報記憶部に記憶させるステップと、
前記店舗サーバが設置される店舗及び前記消費者が該店舗で購入した商品を表す購入商品情報と、該消費者を識別する消費者ＩＤと、を前記店舗サーバから受信するステップと、
受信された消費者ＩＤと、購入商品情報と、を購入商品情報記憶部に記憶させるステップと、
前記消費者端末から情報配信要求を受信するステップと、
受信された情報配信要求を送信した前記消費者端末が位置する店舗、又は該消費者端末付近の店舗を特定するステップと、
前記関連商品情報記憶部に記憶された商品組合せ情報のうち、前記特定された店舗を表す商品情報を含む商品組合せ情報と、該商品組合せ情報に対応する前記優先度情報と、に基づいて、前記優先度情報が表す優先度が高い順に並べた商品組合せ情報を含む組合せリスト情報を生成するステップと、
生成された組合せリスト情報を、前記情報配信要求を送信した前記消費者端末に送信するステップと、
前記購入商品情報記憶部に記憶された消費者ＩＤ毎に、該消費者ＩＤに対応する複数の購入商品情報の組合せのうち、前記関連商品情報記憶部に記憶された商品組合せ情報と一致する組合せを特定し、特定された組合せと一致した商品組合せ情報に対応する前記優先度情報を、所定の度合いだけ優先度が高くなるように更新するステップと、
を備えることを特徴とする情報配信方法。
【請求項６】
複数の店舗にそれぞれ設置される複数の店舗サーバ及び消費者が使用する消費者端末にネットワークを介して接続され、該消費者端末に情報を配信するコンピュータを、
前記店舗サーバが設置される店舗及び該店舗が販売する商品を表す商品情報と、該商品に関連する商品及び該関連する商品を販売する店舗を表す関連商品情報と、を含む商品組合せ情報を前記店舗サーバから受信する商品組合せ情報受信手段、
前記商品組合せ情報受信手段により受信された商品組合せ情報と、前記消費者に該商品組合せ情報を提示する優先度を表す優先度情報と、を対応付けて記憶する関連商品情報記憶手段、
前記店舗サーバが設置される店舗及び前記消費者が該店舗で購入した商品を表す購入商品情報と、該消費者を識別する消費者ＩＤと、を前記店舗サーバから受信する購入商品情報受信手段、
前記購入商品情報受信手段により受信された消費者ＩＤと、購入商品情報と、を記憶する購入商品情報記憶手段、
前記消費者端末から情報配信要求を受信する情報配信要求受信手段、
前記情報配信要求受信手段により受信された情報配信要求を送信した前記消費者端末が位置する店舗、又は該消費者端末付近の店舗を特定する店舗特定手段、
前記関連商品情報記憶手段に記憶された商品組合せ情報のうち、前記店舗特定手段により特定された店舗を表す商品情報を含む商品組合せ情報と、該商品組合せ情報に対応する前記優先度情報と、に基づいて、前記優先度情報が表す優先度が高い順に並べた商品組合せ情報を含む組合せリスト情報を生成する組合せリスト情報生成手段、
前記組合せリスト情報生成手段により生成された組合せリスト情報を、前記情報配信要求を送信した前記消費者端末に送信する組合せリスト情報送信手段、
前記購入商品情報記憶手段に記憶された消費者ＩＤ毎に、該消費者ＩＤに対応する複数の購入商品情報の組合せのうち、前記関連商品情報記憶手段に記憶された商品組合せ情報と一致する組合せを特定し、特定された組合せと一致した商品組合せ情報に対応する前記優先度情報を、所定の度合いだけ優先度が高くなるように更新する優先度情報更新手段、
として機能させることを特徴とするプログラム。
【発明の詳細な説明】
【技術分野】
【０００１】
本発明は、情報配信システム、情報配信サーバ、情報配信方法、及びプログラムに関する。
【背景技術】
【０００２】
消費者に、その消費者が購入した商品に関連し、その商品を購入した店舗に近い地域の店舗で販売されている商品の情報を配信するシステムとして、例えば特許文献１に記載のシステムがある。
【先行技術文献】
【特許文献】
【０００３】
【特許文献１】特開２００８−１８１２７５号公報
【発明の概要】
【発明が解決しようとする課題】
【０００４】
しかし、特許文献１に記載のシステムでは、関連する商品の情報が登録されても、その情報を登録した店舗、及びその関連する商品を販売する店舗との関係に反映されない。
【０００５】
本発明は係る問題点に鑑みてなされたものであって、店舗間の繋がりの強化を図ることが可能な情報配信システム、情報配信サーバ、情報配信方法、及びプログラムを提供することを目的とする。
【課題を解決するための手段】
【０００６】
上記目的を達成するため、本発明の第１の観点に係る情報配信システムは、
消費者が使用する消費者端末と、複数の店舗にそれぞれ設置される複数の店舗サーバと、該消費者端末に情報を配信する情報配信サーバと、から構成される情報配信システムであって、
前記店舗サーバは、
前記店舗サーバ自身が設置される店舗及び該店舗が販売する商品を表す商品情報と、該商品に関連する商品及び該関連する商品を販売する店舗を表す関連商品情報と、を含む商品組合せ情報を前記情報配信サーバに送信する商品組合せ情報送信部と、
前記店舗サーバ自身が設置される店舗及び前記消費者が該店舗で購入した商品を表す購入商品情報と、該消費者を識別する消費者ＩＤと、を前記情報配信サーバに送信する購入商品情報送信部と、を備え、
前記情報配信サーバは、
前記店舗サーバから受信した商品組合せ情報と、前記消費者に該商品組合せ情報を提示する優先度を表す優先度情報と、を対応付けて記憶する関連商品情報記憶部と、
前記店舗サーバから受信した消費者ＩＤと、購入商品情報と、を記憶する購入商品情報記憶部と、
前記消費者端末から情報配信要求を受信する情報配信要求受信部と、
前記情報配信要求受信部により受信された情報配信要求を送信した前記消費者端末が位置する店舗、又は該消費者端末付近の店舗を特定する店舗特定部と、
前記関連商品情報記憶部に記憶された商品組合せ情報のうち、前記店舗特定部により特定された店舗を表す商品情報を含む商品組合せ情報と、該商品組合せ情報に対応する前記優先度情報と、に基づいて、前記優先度情報が表す優先度が高い順に並べた商品組合せ情報を含む組合せリスト情報を生成する組合せリスト情報生成部と、
前記組合せリスト情報生成部により生成された組合せリスト情報を、前記情報配信要求を送信した前記消費者端末に送信する組合せリスト情報送信部と、
前記購入商品情報記憶部に記憶された消費者ＩＤ毎に、該消費者ＩＤに対応する複数の購入商品情報の組合せのうち、前記関連商品情報記憶部に記憶された商品組合せ情報と一致する組合せを特定し、特定された組合せと一致した商品組合せ情報に対応する前記優先度情報を、所定の度合いだけ優先度が高くなるように更新する優先度情報更新部と、を備え、
前記消費者端末は、
前記消費者端末自身が、前記店舗サーバが設置される店舗内または付近に位置するとき、情報配信要求を前記情報配信サーバに送信する情報配信要求送信部と、
前記情報配信サーバから組合せリスト情報を受信する組合せリスト情報受信部と、を備える、
ことを特徴とする。
【０００７】
上記目的を達成するため、本発明の第２の観点に係る情報配信サーバは、
複数の店舗にそれぞれ設置される複数の店舗サーバ及び消費者が使用する消費者端末にネットワークを介して接続され、該消費者端末に情報を配信する情報配信サーバであって、
前記店舗サーバが設置される店舗及び該店舗が販売する商品を表す商品情報と、該商品に関連する商品及び該関連する商品を販売する店舗を表す関連商品情報と、を含む商品組合せ情報を前記店舗サーバから受信する商品組合せ情報受信部と、
前記商品組合せ情報受信部により受信された商品組合せ情報と、前記消費者に該商品組合せ情報を提示する優先度を表す優先度情報と、を対応付けて記憶する関連商品情報記憶部と、
前記店舗サーバが設置される店舗及び前記消費者が該店舗で購入した商品を表す購入商品情報と、該消費者を識別する消費者ＩＤと、を前記店舗サーバから受信する購入商品情報受信部と、
前記購入商品情報受信部により受信された消費者ＩＤと、購入商品情報と、を記憶する購入商品情報記憶部と、
前記消費者端末から情報配信要求を受信する情報配信要求受信部と、
前記情報配信要求受信部により受信された情報配信要求を送信した前記消費者端末が位置する店舗、又は該消費者端末付近の店舗を特定する店舗特定部と、
前記関連商品情報記憶部に記憶された商品組合せ情報のうち、前記店舗特定部により特定された店舗を表す商品情報を含む商品組合せ情報と、該商品組合せ情報に対応する前記優先度情報と、に基づいて、前記優先度情報が表す優先度が高い順に並べた商品組合せ情報を含む組合せリスト情報を生成する組合せリスト情報生成部と、
前記組合せリスト情報生成部により生成された組合せリスト情報を、前記情報配信要求を送信した前記消費者端末に送信する組合せリスト情報送信部と、
前記購入商品情報記憶部に記憶された消費者ＩＤ毎に、該消費者ＩＤに対応する複数の購入商品情報の組合せのうち、前記関連商品情報記憶部に記憶された商品組合せ情報と一致する組合せを特定し、特定された組合せと一致した商品組合せ情報に対応する前記優先度情報を、所定の度合いだけ優先度が高くなるように更新する優先度情報更新部と、
を備えることを特徴とする。
【０００８】
上記目的を達成するため、本発明の第３の観点に係る情報配信方法は、
複数の店舗にそれぞれ設置される複数の店舗サーバ及び消費者が使用する消費者端末にネットワークを介して接続される情報配信サーバが該消費者端末に情報を配信する情報配信方法であって、
前記店舗サーバが設置される店舗及び該店舗が販売する商品を表す商品情報と、該商品に関連する商品及び該関連する商品を販売する店舗を表す関連商品情報と、を含む商品組合せ情報を前記店舗サーバから受信するステップと、
受信された商品組合せ情報と、前記消費者に該商品組合せ情報を提示する優先度を表す優先度情報と、を対応付けて関連商品情報記憶部に記憶させるステップと、
前記店舗サーバが設置される店舗及び前記消費者が該店舗で購入した商品を表す購入商品情報と、該消費者を識別する消費者ＩＤと、を前記店舗サーバから受信するステップと、
受信された消費者ＩＤと、購入商品情報と、を購入商品情報記憶部に記憶させるステップと、
前記消費者端末から情報配信要求を受信するステップと、
受信された情報配信要求を送信した前記消費者端末が位置する店舗、又は該消費者端末付近の店舗を特定するステップと、
前記関連商品情報記憶部に記憶された商品組合せ情報のうち、前記特定された店舗を表す商品情報を含む商品組合せ情報と、該商品組合せ情報に対応する前記優先度情報と、に基づいて、前記優先度情報が表す優先度が高い順に並べた商品組合せ情報を含む組合せリスト情報を生成するステップと、
生成された組合せリスト情報を、前記情報配信要求を送信した前記消費者端末に送信するステップと、
前記購入商品情報記憶部に記憶された消費者ＩＤ毎に、該消費者ＩＤに対応する複数の購入商品情報の組合せのうち、前記関連商品情報記憶部に記憶された商品組合せ情報と一致する組合せを特定し、特定された組合せと一致した商品組合せ情報に対応する前記優先度情報を、所定の度合いだけ優先度が高くなるように更新するステップと、
を備えることを特徴とする。
【０００９】
上記目的を達成するため、本発明の第４の観点に係るプログラムは、
複数の店舗にそれぞれ設置される複数の店舗サーバ及び消費者が使用する消費者端末にネットワークを介して接続され、該消費者端末に情報を配信するコンピュータを、
前記店舗サーバが設置される店舗及び該店舗が販売する商品を表す商品情報と、該商品に関連する商品及び該関連する商品を販売する店舗を表す関連商品情報と、を含む商品組合せ情報を前記店舗サーバから受信する商品組合せ情報受信手段、
前記商品組合せ情報受信手段により受信された商品組合せ情報と、前記消費者に該商品組合せ情報を提示する優先度を表す優先度情報と、を対応付けて記憶する関連商品情報記憶手段、
前記店舗サーバが設置される店舗及び前記消費者が該店舗で購入した商品を表す購入商品情報と、該消費者を識別する消費者ＩＤと、を前記店舗サーバから受信する購入商品情報受信手段、
前記購入商品情報受信手段により受信された消費者ＩＤと、購入商品情報と、を記憶する購入商品情報記憶手段、
前記消費者端末から情報配信要求を受信する情報配信要求受信手段、
前記情報配信要求受信手段により受信された情報配信要求を送信した前記消費者端末が位置する店舗、又は該消費者端末付近の店舗を特定する店舗特定手段、
前記関連商品情報記憶手段に記憶された商品組合せ情報のうち、前記店舗特定手段により特定された店舗を表す商品情報を含む商品組合せ情報と、該商品組合せ情報に対応する前記優先度情報と、に基づいて、前記優先度情報が表す優先度が高い順に並べた商品組合せ情報を含む組合せリスト情報を生成する組合せリスト情報生成手段、
前記組合せリスト情報生成手段により生成された組合せリスト情報を、前記情報配信要求を送信した前記消費者端末に送信する組合せリスト情報送信手段、
前記購入商品情報記憶手段に記憶された消費者ＩＤ毎に、該消費者ＩＤに対応する複数の購入商品情報の組合せのうち、前記関連商品情報記憶手段に記憶された商品組合せ情報と一致する組合せを特定し、特定された組合せと一致した商品組合せ情報に対応する前記優先度情報を、所定の度合いだけ優先度が高くなるように更新する優先度情報更新手段、
として機能させることを特徴とする。
【発明の効果】
【００１０】
本発明によれば、店舗間の繋がりの強化を図ることができる。
【図面の簡単な説明】
【００１１】
【図１】実施形態に係る情報配信システムの構成を概略的に示すブロック図である。
【図２】関連商品情報管理ＤＢに格納されるデータの一例を示す図である。
【図３】購入商品情報管理ＤＢに格納されるデータの一例を示す図である。
【図４】消費者情報管理ＤＢに格納されるデータの一例を示す図である。
【図５】情報配信サーバの機能構成を示すブロック図である。
【図６】組合せリスト情報の一例を示す図である。
【図７】店舗サーバの構成を示すブロック図である。
【図８】消費者端末の構成を示すブロック図である。
【図９】商品組合せ情報登録処理の流れの一例を示すフローチャートである。
【図１０】情報配信処理の流れの一例を示すフローチャートである。
【図１１】優先度情報更新処理の流れの一例を示すフローチャートである。
【図１２】登録回数ＤＢに格納されるデータの一例を示す図である。
【発明を実施するための形態】
【００１２】
図１は、本実施形態に係る情報配信システム１の構成を示すブロック図である。図１に示すように、情報配信システム１は、情報配信サーバ１００と、複数の店舗サーバ２００と、消費者端末３００と、から構成される。
【００１３】
情報配信サーバ１００は、消費者端末３００に情報を配信する装置である。具体的には、情報配信サーバ１００は、消費者端末３００を使用する消費者が購入した商品に関連する商品の情報を配信する。情報配信サーバ１００は、インターネット等のネットワーク４００を介して、各店舗に設けられている店舗内システム５００に接続される。
【００１４】
店舗サーバ２００は、複数の店舗のそれぞれに設置される。なお、本実施形態における複数の店舗は、商店街を構成する店舗であり、例えば魚屋、八百屋といった決まった分野の商品を取り扱う専門店である。店舗サーバ２００は、ＬＡＮ（Local Area Network）等の店舗内ネットワーク５１０と接続され、店舗内ネットワーク５１０に接続された店舗内アクセスポイント（図示せず）とともに店舗内システム５００を構成する。
【００１５】
消費者端末３００は、携帯電話など、消費者が携帯する携帯型の通信端末装置から構成される。消費者端末３００は、店舗内ネットワーク５１０に接続すると、情報配信サーバ１００にアクセスして、情報配信サーバ１００から、消費者端末３００を使用する消費者が購入した商品に関連する商品の情報を取得する。
【００１６】
次に、情報配信サーバ１００、店舗サーバ２００、及び消費者端末３００の構成について説明する。
【００１７】
まず、情報配信サーバ１００の構成について説明する。図１に示すように、情報配信サーバ１００は、送受信部１１０と、記憶部１２０と、制御部１３０と、ＲＯＭ（Read Only Memory）１４０と、ＲＡＭ（Random Access Memory）１５０と、から構成され、これら各部はバス１６０により接続されている。
【００１８】
送受信部１１０は、ネットワーク４００に接続するための通信装置から構成される。
【００１９】
記憶部１２０は、ハードディスクドライブ等の記憶装置から構成される。具体的には、記憶部１２０は、関連商品情報管理ＤＢ（データベース）１２１と、購入商品情報管理ＤＢ１２２と、消費者情報管理ＤＢ１２３と、を記憶する。
【００２０】
関連商品情報管理ＤＢ１２１は、店舗サーバ２００から受信した商品組合せ情報と、消費者にその商品組合せ情報を提示する優先度を表す優先度情報とを対応付けて記憶する。ここで、商品組合せ情報は、店舗及びその店舗が販売する商品を表す商品情報と、その商品に関連する商品及びその関連する商品を販売する店舗を表す関連商品情報と、を含む情報である。
【００２１】
図２に、関連商品情報管理ＤＢ１２１に格納されるデータの一例を示す。図２に示す関連商品情報管理ＤＢ１２１は、商品組合せ情報毎に、その商品組合せ情報を識別する「組合せ番号」と、「レシピ」と、優先度情報としての「購入ポイント」と、「おすすめポイント」と、を対応付けて記憶する。「レシピ」は、対応する商品組合せ情報に含まれる商品情報の商品と、関連商品情報の関連商品とを用いた料理の調理方法を表す。「おすすめポイント」は、対応する商品組合せ情報に含まれる商品情報の商品と、関連商品情報の関連商品と、の組合せを推奨する度合いを表す推奨度情報である。例えば、図２に示すおすすめポイントのうち、「１」は「０」よりも推奨度か高いことを表す。本実施形態において、後述するように、おすすめポイントが「０」である商品組合せ情報は、消費者端末３００に送信されない。
【００２２】
また、図２に示す商品組合せ情報は、商品情報を表す「商品」及び「販売店舗」と、関連商品情報を表す「関連商品」及び「関連商品販売店舗」と、を含む。また、販売店舗及び関連商品販売店舗は、店舗を識別する「店舗ＩＤ」と「店舗名」とにより表される。
【００２３】
購入商品情報管理ＤＢ１２２は、店舗サーバ２００から受信した消費者を識別する消費者ＩＤと、購入商品情報と、を記憶する。ここで、購入商品情報は、店舗及び対応する消費者ＩＤの消費者が購入した商品を表す。
【００２４】
図３に、購入商品情報管理ＤＢ１２２に格納されるデータの一例を示す。図３に示す購入商品情報管理ＤＢ１２２は、消費者ＩＤ毎に、「購入日」と、購入商品情報である「商品」及び「購入店舗」と、を対応付けて記憶する。
【００２５】
消費者情報管理ＤＢ１２３は、消費者ＩＤと、その消費者ＩＤにより識別される消費者のメールアドレスと、を対応付けて記憶する。
【００２６】
図４に、消費者情報管理ＤＢ１２３に格納されるデータの一例を示す。消費者情報管理ＤＢ１２３に格納される情報は、例えば、予め、消費者が情報配信サーバ１００にユーザ登録を行うことにより、格納される。
【００２７】
図１に戻って、制御部１３０は、例えば、ＣＰＵ（Central Processing Unit）から構成されており、情報配信サーバ１００の全体の制御を行う。
【００２８】
ＲＯＭ１４０は、制御部１３０が情報配信サーバ１００の全体を制御するためのプログラム等を格納する不揮発性メモリである。例えば、ＲＯＭ１４０は、情報配信サーバ１００が後述する各種処理を実行するためのプログラムを格納している。
【００２９】
ＲＡＭ１５０は、制御部１３０が生成した各種データや、各種データを生成するために必要なデータを一時的に格納するための揮発性メモリである。
【００３０】
次に、情報配信サーバ１００の制御部１３０の機能的構成について説明する。図５は、情報配信サーバ１００の機能構成を示すブロック図である。図５に示すように、情報配信サーバ１００は、関連商品情報取得部１３１、購入商品情報取得部１３２、情報配信要求受信制御部１３３、組合せリスト情報生成部１３４、組合せリスト情報送信制御部１３５、優先度情報更新部１３６として機能する。
【００３１】
関連商品情報取得部１３１は、送受信部１１０により店舗サーバ２００から商品組合せ情報を受信し、受信した商品組合せ情報を関連商品情報管理ＤＢ１２１に格納する。
【００３２】
詳細には、関連商品情報取得部１３１は、店舗サーバ２００から商品組合せ情報と、レシピと、おすすめポイントとを受信し、商品組合せ情報毎に、組合せ番号を付し、図２に示すように関連商品情報管理ＤＢ１２１に格納する。また、対応する購入ポイントに初期値「０」を格納する。
【００３３】
購入商品情報取得部１３２は、送受信部１１０により、店舗サーバ２００から消費者ＩＤと、購入商品情報と、を受信し、受信した消費者ＩＤと、購入商品情報と、を購入商品情報管理ＤＢ１２２に格納する。
【００３４】
詳細には、購入商品情報取得部１３２は、店舗サーバ２００から消費者ＩＤと、購入商品情報と、購入日とを受信する。購入商品情報取得部１３２は、受信した消費者ＩＤに対応付けて、購入日と購入商品情報とを購入商品情報管理ＤＢ１２２に格納する。
【００３５】
情報配信要求受信制御部１３３は、消費者端末３００から、情報配信要求を受信し、その情報配信要求から、その情報配信要求を送信した消費者端末３００が位置する店舗、又はその消費者端末付近の店舗を特定する。具体的には、情報配信要求受信制御部１３３は、受信した情報配信要求に含まれる店舗ＩＤにより、店舗を特定する。
【００３６】
組合せリスト情報生成部１３４は、関連商品情報管理ＤＢ１２１に記憶された商品組合せ情報のうち、情報配信要求受信制御部１３３により特定された店舗を表す商品情報を含む商品組合せ情報と、その商品組合せ情報に対応する購入ポイントと、に基づいて、購入ポイントが高い順に並べた商品組合せ情報を含む組合せリスト情報を生成する。
【００３７】
詳細には、組合せリスト情報生成部１３４は、関連商品情報管理ＤＢ１２１に記憶された商品組合せ情報のうち、情報配信要求受信制御部１３３により受信された情報配信要求に含まれる店舗ＩＤを、販売店舗の店舗ＩＤとして含む商品組合せ情報を特定する。そして、組合せリスト情報生成部１３４は、特定された商品組合せ情報のうち、おすすめポイントが「１」であるものを抽出する。そして、組合せリスト情報生成部１３４は、抽出された商品組合せ情報を、その商品組合せ情報に対応する購入ポイントが高い順に所定数（例えば、１０個）の商品組合せ情報を含む組合せリスト情報を生成する。
【００３８】
図６に、組合せリスト情報の一例を示す。図６に示す組合せリスト情報は、「おすすめ商品」と、「おすすめ組合せ商品」と、「販売店舗」と、「レシピ」と、「購入ランキング」と、を含む。「おすすめ商品」は、組合せリスト情報生成部１３４により抽出された商品組合せ情報に含まれる商品を表す。すなわち、消費者端末３００が位置する店舗、または付近に位置する店舗の店員が消費者に推奨する、自身の店舗で販売している商品を表す。「おすすめ組合せ商品」は、組合せリスト情報生成部１３４により抽出された商品組合せ情報に含まれる関連商品を表す。「販売店舗」は、組合せリスト情報生成部１３４により抽出された商品組合せ情報に含まれる関連商品販売店舗の店舗名を表す。「レシピ」は、組合せリスト情報生成部１３４により抽出された商品組合せ情報に対応するレシピを表す。「購入ランキング」は、組合せリスト情報生成部１３４により抽出された商品組合せ情報を購入ポイントの高い順にランク付けした際のランクを表す。
【００３９】
組合せリスト情報送信制御部１３５は、組合せリスト情報生成部１３４により生成された組合せリスト情報を、情報配信要求を送信した消費者端末３００に、送受信部１１０を介して送信する。
【００４０】
詳細には、組合せリスト情報送信制御部１３５は、情報配信要求に含まれる消費者ＩＤに対応するメールアドレスを、消費者情報管理ＤＢ１２３から取得する。そして、組合せリスト情報送信制御部１３５は、組合せリスト情報生成部１３４により生成された組合せリスト情報を、取得されたメールアドレス宛に送信する。
【００４１】
優先度情報更新部１３６は、購入商品情報管理ＤＢ１２２に記憶された消費者ＩＤ毎に、その消費者ＩＤに対応する複数の購入商品情報の組合せのうち、関連商品情報管理ＤＢ１２１に記憶された商品組合せ情報と一致する組合せを特定し、特定された組合せと一致した商品組合せ情報に対応する購入ポイントを、所定のポイントだけ加算することにより更新する。
【００４２】
詳細には、優先度情報更新部１３６は、購入商品情報管理ＤＢ１２２に記憶された消費者ＩＤ毎に、その消費者ＩＤに対応する複数の購入商品情報の組合せのうち、関連商品情報管理ＤＢ１２１に記憶された商品組合せ情報と一致する組合せを特定する。そして、優先度情報更新部１３６は、特定された組合せと一致した商品組合せ情報に対応する購入ポイントを、所定のポイントとして例えば１ポイント分加算する。
【００４３】
次に、店舗サーバ２００の構成について詳細に説明する。図７は、店舗サーバ２００の構成を示すブロック図である。図７に示すように、店舗サーバ２００は、送受信部２１０と、記憶部２２０と、制御部２３０と、ＲＯＭ２４０と、ＲＡＭ２５０と、入力部２６０と、出力部２７０と、から構成され、これら各部はバス２８０により接続されている。
【００４４】
送受信部２１０は、店舗内ネットワーク５１０に接続するための通信装置から構成される。具体的には、送受信部２１０は、店舗内ネットワーク５１０に接続され、店舗内に設置されたレジ（図示せず）から、購入商品情報及び消費者ＩＤを受信し、情報配信サーバ１００に送信する。また、送受信部２１０は、店舗の店員等の店舗側ユーザにより入力された商品組合せ情報、レシピ、及びおすすめポイントを情報配信サーバ１００に送信する。
【００４５】
記憶部２２０は、ハードディスクドライブ等の記憶装置から構成される。記憶部２２０は、例えば、自身の店舗で販売される商品の情報等を格納する。
【００４６】
制御部２３０は、例えば、ＣＰＵから構成されており、店舗サーバ２００の全体の制御を行う。
【００４７】
ＲＯＭ２４０は、制御部２３０が店舗サーバ２００の全体を制御するためのプログラム等を格納する不揮発性メモリである。例えば、ＲＯＭ２４０は、店舗サーバ２００が後述する各種処理を実行するためのプログラムを格納している。
【００４８】
ＲＡＭ２５０は、制御部２３０が生成した各種データや、各種データを生成するために必要なデータを一時的に格納するための揮発性メモリである。
【００４９】
入力部２６０は、店舗側ユーザが店舗サーバ２００を操作するためのマウスやキーボード等の入力装置から構成され、店舗側ユーザによって入力される各種の情報を受け付ける。具体的には、入力部２６０は、店舗側ユーザから、商品組合せ情報、レシピ、おすすめポイントを表す操作入力を受け付ける。
【００５０】
出力部２７０は、液晶ディスプレイ等の表示装置から構成され、制御部２３０により出力された各種の情報を出力表示する。
【００５１】
次に、店舗サーバ２００の制御部２３０の機能的構成について説明する。図７に示すように、制御部２３０は、商品組合せ情報送信制御部２３１、購入商品情報送信制御部２３２、として機能する。
【００５２】
商品組合せ情報送信制御部２３１は、情報配信サーバ１００に、送受信部２１０を介して、商品組合せ情報を送信する。
【００５３】
詳細には、商品組合せ情報送信制御部２３１は、入力部２６０を介して、店舗側ユーザから、商品と、その商品の関連商品と、その関連商品を販売する店舗（関連商品販売店舗）と、その商品及び関連商品とを用いたレシピと、おすすめポイントと、を表す情報の入力を受け付ける。そして、商品組合せ情報送信制御部２３１は、受け付けたこれらの情報と、予め店舗サーバ２００に設定された店舗ＩＤとを含む商品組合せ情報を、送受信部２１０を介して情報配信サーバ１００に送信する。
【００５４】
購入商品情報送信制御部２３２は、送受信部２１０を介して、購入商品情報と、その商品を購入した消費者の消費者ＩＤとを情報配信サーバ１００に送信する。
【００５５】
詳細には、購入商品情報送信制御部２３２は、店舗内に設置され、店舗内ネットワーク５１０に接続されたレジから、消費者が購入した商品の情報と、その消費者の消費者ＩＤとを取得する。消費者ＩＤは、例えば消費者が携帯するＩＣカードに予め記憶されている。そして、レジに接続されたＩＣカード読み取り装置によりそのＩＣカードに記憶された消費者ＩＤが読み取られることにより、購入商品情報送信制御部２３２は、その消費者が購入した商品の情報とともに、消費者ＩＤを取得する。そして、購入商品情報送信制御部２３２は、取得した購入した商品と、予め店舗サーバ２００に設定された店舗ＩＤとを表す購入商品情報と、取得した消費者ＩＤとを、送受信部２１０を介して情報配信サーバ１００に送信する。
【００５６】
次に、消費者端末３００の構成について詳細に説明する。図８は、消費者端末３００の構成を示すブロック図である。図８に示すように、消費者端末３００は、送受信部３１０と、記憶部３２０と、制御部３３０と、ＲＯＭ３４０と、ＲＡＭ３５０と、入力部３６０と、出力部３７０と、から構成され、これら各部はバス３８０により接続されている。
【００５７】
送受信部３１０は、店舗内ネットワーク５１０やインターネット等の外部のネットワークに接続するための通信装置から構成される。具体的には、送受信部３１０は、店舗内に設置されたアクセスポイントと無線通信により接続することにより、店舗内ネットワーク５１０に接続する。そして、送受信部３１０は、店舗内ネットワーク５１０を介して、情報配信サーバ１００に接続し、情報配信要求を送信する。また、送受信部３１０は、情報配信サーバ１００から、組合せリスト情報を受信する。
【００５８】
記憶部３２０は、ハードディスクドライブ等の記憶装置から構成される。
【００５９】
制御部３３０は、例えば、ＣＰＵから構成されており、消費者端末３００の全体の制御を行う。
【００６０】
ＲＯＭ３４０は、制御部３３０が消費者端末３００の全体を制御するためのプログラム等を格納する不揮発性メモリである。例えば、ＲＯＭ３４０は、消費者端末３００が後述する各種処理を実行するためのプログラムを格納している。
【００６１】
ＲＡＭ３５０は、制御部３３０が生成した各種データや、各種データを生成するために必要なデータを一時的に格納するための揮発性メモリである。
【００６２】
入力部３６０は、消費者端末３００のユーザである消費者が消費者端末３００を操作するためのキー等の入力装置から構成され、消費者によって入力される各種の情報を受け付ける。
【００６３】
出力部３７０は、液晶ディスプレイ等の表示装置から構成され、制御部３３０により出力された各種の情報を出力表示する。例えば、出力部３７０は、情報配信サーバ１００から受信した情報を表示する。
【００６４】
次に、消費者端末３００の制御部３３０の機能的構成について説明する。図８に示すように、制御部３３０は、情報配信要求送信制御部３３１、組合せリスト情報受信制御部３３２、として機能する。
【００６５】
情報配信要求送信制御部３３１は、消費者端末３００が、店舗サーバ２００が設置される店舗内または付近に位置するとき、送受信部３１０を介して情報配信要求を情報配信サーバ１００に送信する。
【００６６】
詳細には、情報配信要求送信制御部３３１は、送受信部３１０を介して、店舗内アクセスポイントを介して店舗内ネットワーク５１０に接続すると、その店舗内ネットワーク５１０が設けられた店舗内または付近に位置すると判別する。そして、情報配信要求制御部３３１は、店舗内アクセスポイントから、店舗内アクセスポイントに予め設定されている、その店舗の店舗ＩＤを取得する。そして、情報配信要求送信制御部３３１は、取得した店舗ＩＤと、消費者端末３００に予め設定されている消費者ＩＤとを含む情報配信要求を情報配信サーバ１００に送信する。
【００６７】
組合せリスト情報受信制御部３３２は、送受信部３１０を介して、情報配信サーバ１００から組合せリスト情報を受信する。
【００６８】
詳細には、組合せリスト情報受信制御部３３２は、送受信部３１０を介して、情報配信サーバ１００から組合せリスト情報を含む電子メールを受信する。そして、組合せリスト情報受信制御部３３２は、消費者からの操作に基づいて、電子メールに含まれる組合せリスト情報を出力部３７０に表示する。
【００６９】
次に、本実施形態に係る情報配信システム１の動作について説明する。
【００７０】
まず、情報配信サーバ１００及び店舗サーバ２００が実行する商品組合せ情報登録処理について説明する。図９は、商品組合せ情報登録処理の流れの一例を示すフローチャートである。図９に示す商品組合せ情報登録処理は、例えば、店舗サーバ２００の店舗側ユーザによる、商品組合せ情報登録処理の開始を示す操作入力を受け付けたことを契機として開始される。
【００７１】
まず、商品組合せ情報送信制御部２３１は、入力部２６０を介して、商品組合せ情報と、レシピと、おすすめポイントとの入力を受け付ける（ステップＳ１１）。
【００７２】
次に、商品組合せ情報送信制御部２３１は、ステップＳ１１において受け付けた商品組合せ情報と、レシピと、おすすめポイントとを、情報配信サーバ１００に送信する（ステップＳ１２）。
【００７３】
関連商品情報取得部１３１は、ステップＳ１２において店舗サーバ２００から送信された商品組合せ情報と、レシピと、おすすめポイントとを受信し（ステップＳ１３）、関連商品情報管理ＤＢ１２１に格納する（ステップＳ１４）。そして、本処理を終了する。
【００７４】
次に、情報配信サーバ１００及び消費者端末３００が実行する情報配信処理について説明する。図１０は、情報配信処理の流れの一例を示すフローチャートである。図１０に示す情報配信処理は、例えば、消費者端末３００が店舗内ネットワーク５１０に接続したことを契機として開始される。
【００７５】
まず、情報配信要求送信制御部３３１は、接続した店舗内アクセスポイントから店舗ＩＤを取得する（ステップＳ２１）。
【００７６】
次に、情報配信要求送信制御部３３１は、ステップＳ２１において取得した店舗ＩＤと、消費者端末３００に予め設定されている消費者ＩＤとを含む情報配信要求を情報配信サーバ１００に送信する（ステップＳ２２）。
【００７７】
次に、情報配信要求受信制御部１３３は、消費者端末３００から情報配信要求を受信する（ステップＳ２３）。
【００７８】
次に、組合せリスト情報生成部１３４は、ステップＳ２３において受信した情報配信要求に含まれる店舗ＩＤに基づいて、関連商品情報管理ＤＢ１２１から商品組合せ情報を取得し、購入ポイントが高い順に並べた組合せリスト情報を生成する（ステップＳ２４）。
【００７９】
例えば、組合せリスト情報生成部１３４は、ステップＳ２３において受信した情報配信要求に店舗ＩＤ「００１Ａ」が含まれている場合、図２に示す関連商品情報管理ＤＢ１２１から、販売店舗の店舗ＩＤが「００１Ａ」である組合せ番号「００１」、「００２」、「００３」等の商品組合せ情報を特定する。そして、組合せリスト情報生成部１３４は、特定した商品組合せ情報のうち、おすすめポイントが「１」である組合せ番号「００１」、「００２」等の商品組合せ情報を特定する。そして、組合せリスト情報生成部１３４は、おすすめポイントが「１」である商品組合せ情報を、対応する購入ポイントの高い順に並べたリストを含む組合せリスト情報を生成する。
【００８０】
組合せリスト情報送信制御部１３５は、ステップＳ２３において受信した情報配信要求に含まれる消費者ＩＤに基づいて、消費者情報管理ＤＢ１２３から、その消費者ＩＤに対応するメールアドレスを取得し、そのメールアドレス宛にステップＳ２４において生成した組合せリスト情報を含む電子メールを送信する（ステップＳ２５）。
【００８１】
組合せリスト情報受信制御部３３２は、情報配信サーバ１００から、組合せリスト情報を含む電子メールを受信する（ステップＳ２６）。
【００８２】
そして、組合せリスト情報受信制御部３３２は、ステップＳ２６において受信した組合せリスト情報を出力部３７０に表示する（ステップＳ２７）。そして、本処理を終了させる。
【００８３】
次に、情報配信サーバ１００及び店舗サーバ２００が実行する優先度情報更新処理について説明する。図１１は、優先度情報更新処理の流れの一例を示すフローチャートである。図１１に示す優先度情報更新処理は、例えば、店舗サーバ２００が、同じ店舗内に設置されたレジから店舗内ネットワーク５１０を介して購入商品情報及び消費者ＩＤを受信したことを契機として開始される。
【００８４】
購入商品情報送信制御部２３２は、受信した購入商品情報及び消費者ＩＤを情報配信サーバ１００に送信する（ステップＳ３１）。
【００８５】
購入商品情報取得部１３２は、ステップＳ３１において店舗サーバ２００から送信された購入商品情報及び消費者ＩＤを受信し（ステップＳ３２）、購入商品情報管理ＤＢ１２２に登録する（ステップＳ３３）。
【００８６】
優先度情報更新部１３６は、購入商品情報管理ＤＢ１２２に記憶された消費者ＩＤ毎に、その消費者ＩＤに対応する購入商品情報であって、過去直近の所定日以内に購入された購入商品情報の組合せのうち、関連商品情報管理ＤＢ１２１に記憶された商品組合せ情報と一致する組合せを特定し、その商品組合せ情報に対応する購入ポイントに１ポイント分加算する（ステップＳ３４）。そして、本処理を終了させる。
【００８７】
例えば、優先度情報更新部１３６は、図３に示す購入商品情報管理ＤＢ１２２に記憶された消費者ＩＤ「aaaa」の購入商品情報のうち、過去直近の所定日として、現在日「2012/2/7」から過去３日以内に購入された商品の購入商品情報である、購入日「2012/2/6」、商品「ぶり」、販売店舗「魚屋Ａ」を含む購入商品情報と、購入日「2012/2/6」、商品「大根」、販売店舗「八百屋Ｂ」を含む購入商品情報とを特定する。そして、優先度情報更新部１３６は、これらの購入商品情報に含まれる商品「ぶり」及び販売店舗「魚屋Ａ」と、商品「大根」及び販売店舗「八百屋Ｂ」との組合せは、図２に示す関連商品情報管理ＤＢ１２１に記憶された組合せ番号「００１」の商品組合せ情報に含まれる商品及び販売店舗と、関連商品及び関連商品販売店舗との組合せに一致することを判別する。そして、優先度情報更新部１３６は、一致すると判別した組合せ番号「００１」に対応する購入ポイントに１ポイント加算する。
【００８８】
以上で説明した本実施形態に係る情報配信システム１によれば、店舗の店員等の店舗サーバ２００の店舗側ユーザは、自身の店舗の商品と、その関連商品と、その関連商品の販売店舗を予め対応付けて情報配信サーバ１００に登録しておく。そして、情報配信サーバ１００は、店舗サーバ２００から受信した消費者の購入商品情報に基づいて、登録された商品と関連商品との組合せが購入されたか否かを判別し、購入された組合せについては、購入ポイントを加算する。そして、情報配信サーバ１００は、店舗に入店、または店舗の付近に位置する消費者端末３００に対しその店舗の商品と、その関連商品とを購入ポイントの高い順に並べたリストを送信する。従って、店舗側ユーザが、自身の店舗で販売する商品と、他の店舗で販売されている関連商品との組合せを登録し、その組合せが購入されれば消費者に優先的にその組合せを提示できるため、店舗間での関連商品の情報配信サーバ１００への登録が促進され、店舗間の繋がりの強化を図ることができる。
【００８９】
また、従来では、消費者が商店街のある店舗で商品を購入時に、その購入した商品に関連する別店舗の商品は、店主が口頭で消費者に紹介することが多かった。例えば、食材の購入者が、購入先の店員に購入した食材の調理方法を聞いた際、その店員は、その食材を使ったレシピや、レシピに使う別の食材を販売している別の店舗を紹介することがあった。しかし、本実施形態に係る情報配信システム１によれば、消費者は、入店または付近の店舗で販売している商品、及び関連商品に関する情報を消費者端末３００により容易に入手することができる。
【００９０】
また、消費者端末３００に配信される情報は、消費者が入店または付近の店舗で販売している商品に関連する別店舗の商品の情報を含むため、消費者が利用した店舗から、関連商品を販売している次の店舗へと消費者の動線がひかれ、消費者の購入機会が増え、商店街の活性化につなげることができる。
【００９１】
また、店舗の店員等の店舗側ユーザは、店舗サーバ２００から商品組合せ情報に対しておすすめポイントを設定することより、自身の店舗で販売している商品のうち、おすすめしたい商品や、おすすめしにくい商品を、組合せリスト情報に含めるか否かを操作することができる。すなわち、商品組合せ情報に含まれる商品を消費者に勧めたいか否かは、入荷する日や入荷した商品の質等の要因によって変化するものと考えられる。そのため、例えば、店舗側ユーザは、ある商品が、一方の商品組合せ情報に含まれる関連商品との組合せには好適であるが、他の商品組合せ情報に含まれる関連商品との組合せには好適でないと判断した場合、前者の商品組合せ情報のおすすめポイントを「１」に、後者の商品組合せ情報のおすすめポイントを「０」に設定することにより、後者の商品組合せ情報を組合せリスト情報に含めずに、前者の商品組合せ情報を組合せリスト情報に含ませることができる。従って、効率的に、消費者に対し、自身の店舗で販売している商品の宣伝を行うことができる。
【００９２】
以上、本発明の実施形態について説明したが、本発明は実施形態によって限定されるものではない。
【００９３】
例えば、上記の実施形態において、店舗サーバ２００は、消費者が携帯しているＩＣカードに記録された消費者ＩＤを読み取ることにより消費者ＩＤを取得するが、消費者ＩＤの取得方法はこれに限られない。例えば、消費者端末３００は、近距離通信により、レジに消費者ＩＤを送信してもよい。また、例えば、消費者端末３００は、消費者ＩＤを表示し、これを見た店舗の店員がレジに消費者ＩＤを入力し、この入力された消費者ＩＤを店舗内ネットワークを介して受信することにより、店舗サーバ２００は消費者ＩＤを取得してもよい。
【００９４】
また、上記の実施形態において、情報配信サーバ１００は、情報配信要求から店舗ＩＤを取得するが、店舗ＩＤの取得方法はこれに限られない。例えば、情報配信サーバ１００は、情報配信要求を受信した際、その情報配信要求に含まれる消費者ＩＤに基づいて、ネットワークに接続された位置情報管理サーバから、店舗ＩＤを取得することができる。例えば、消費者がある店舗に入店すると、消費者端末３００はその店舗の店舗内アクセスポイントを経由して情報配信サーバ１００にアクセスし、ユーザ認証を行う。位置情報管理サーバは、認証結果を管理し、ログインした消費者の消費者ＩＤと、ユーザ認証の際に接続された店舗内アクセスポイントから取得した店舗ＩＤとを記憶する。消費者が別の店舗に入店すると、再度ユーザ認証が行われ、位置情報管理サーバに記憶された消費者ＩＤに対応する店舗ＩＤは、入店した店舗の店舗ＩＤに更新される。従って、情報配信サーバ１００は、このような位置情報管理サーバから、情報配信要求に含まれる消費者ＩＤに対応する店舗ＩＤを取得することができる。
【００９５】
また、上記の実施形態において、情報配信サーバ１００は、消費者端末３００に、電子メールにより組合せリスト情報を送信するが、組合せリスト情報の送受信方法はこれに限られない。例えば、消費者端末３００は、情報配信サーバ１００から組合せリスト情報をダウンロードしてもよい。
【００９６】
また、上記の実施形態において、店舗サーバ２００は、商品組合せ情報とともに、そのおすすめポイントを情報配信サーバ１００に登録するが、おすすめポイントを登録するタイミングはこれに限られない。店舗サーバ２００は、予め登録されている商品組合せ情報について、そのおすすめポイントを任意のタイミングで変更可能であってもよい。
【００９７】
また、上記の実施形態において、おすすめポイントとして、「０」または「１」を設定可能であったが、設定できるおすすめポイントはこれに限られない。例えば、おすすめポイントとして、１０点満点等の複数段階の点数を設定できるようにしてもよい。そして、優先度情報更新部１３６は、おすすめポイントに基づいて重み付けをした購入ポイントを算出してもよい。これにより、店舗が消費者に商品を勧める度合いを組合せリスト情報のランキングに反映させることができる。
【００９８】
また、上記の実施形態において、情報配信サーバ１００は、店舗毎に、その店舗の商品が関連商品として他店舗により関連商品情報管理ＤＢ１２１に登録された回数を記憶してもよい。すなわち、情報配信サーバ１００は、店舗毎に、その店舗の商品が販売する商品を関連する商品として表す関連商品情報を含む商品組合せ情報を、情報配信サーバ１００に送信した店舗サーバ２００が設置された店舗を表す情報と、その店舗サーバ２００がその商品組合せ情報を情報配信サーバ１００に送信した回数と、を記憶する登録回数ＤＢをさらに備えてもよい。
【００９９】
登録回数ＤＢに格納されるデータの一例を示す。図１２に示す登録回数ＤＢは、店舗毎に、その店舗の商品を関連商品情報管理ＤＢ１２１に登録した店舗と、その登録した店舗による登録回数とを対応付けて記憶する。例えば、店舗名「八百屋Ｂ」について、登録した店舗名「魚屋Ａ」は、自身の店舗の商品と関連する商品として八百屋Ｂの商品を含む商品組合せ情報を、関連商品情報管理ＤＢ１２１に１０回登録した場合、店舗名「魚屋Ａ」に対応付けて登録回数「１０」が格納される。
【０１００】
このような登録回数ＤＢをさらに備えることにより、各店舗側ユーザは、情報配信サーバ１００にアクセスし、登録回数ＤＢを参照することにより、自身の店舗の商品が、関連商品として、他の店舗によりどれだけ関連商品情報管理ＤＢ１２１に登録されているのか把握することができる。従って、例えば、自身の店舗の商品をより多く関連商品として関連商品情報管理ＤＢ１２１に登録している店舗に対し、今度はその店舗の商品を関連商品として関連商品情報管理ＤＢ１２１に登録するというように、店舗同士が互いに関連商品として相手の店舗の商品を関連商品情報管理ＤＢ１２１に登録するといった流れが促進され、より店舗間の繋がりを強化することができる。
【０１０１】
また、本発明に係る情報配信システム１は、専用のシステムによらず、通常のコンピュータシステムを用いて実現可能である。例えば、ネットワークに接続されているコンピュータに、上記動作を実行するためのプログラムを、コンピュータシステムが読み取り可能な記録媒体（ＣＤ−ＲＯＭ、ＭＯ等）に格納して配布し、当該プログラムをコンピュータシステムにインストールすることにより、上述の処理を実行する情報配信サーバ１００、店舗サーバ２００、及び消費者端末３００を構成してもよい。
【０１０２】
また、コンピュータにプログラムを提供する方法は任意である。例えば、プログラムは、通信回線の掲示板（ＢＢＳ）にアップロードされ、通信回線を介してコンピュータに配信されてもよい。また、プログラムは、プログラムを表す信号により搬送波を変調した変調波により伝送され、この変調波を受信した装置が変調波を復調してプログラムを復元するようにしてもよい。そして、コンピュータは、このプログラムを起動して、ＯＳの制御のもと、他のアプリケーションと同様に実行する。これにより、コンピュータは、上述の処理を実行する情報配信サーバ１００、店舗サーバ２００、及び消費者端末３００として機能する。
【０１０３】
上記の実施形態の一部又は全部は、以下の付記のようにも記載されうるが、以下には限られない。
【０１０４】
（付記１）
消費者が使用する消費者端末と、複数の店舗にそれぞれ設置される複数の店舗サーバと、該消費者端末に情報を配信する情報配信サーバと、から構成される情報配信システムであって、
前記店舗サーバは、
前記店舗サーバ自身が設置される店舗及び該店舗が販売する商品を表す商品情報と、該商品に関連する商品及び該関連する商品を販売する店舗を表す関連商品情報と、を含む商品組合せ情報を前記情報配信サーバに送信する商品組合せ情報送信部と、
前記店舗サーバ自身が設置される店舗及び前記消費者が該店舗で購入した商品を表す購入商品情報と、該消費者を識別する消費者ＩＤと、を前記情報配信サーバに送信する購入商品情報送信部と、を備え、
前記情報配信サーバは、
前記店舗サーバから受信した商品組合せ情報と、前記消費者に該商品組合せ情報を提示する優先度を表す優先度情報と、を対応付けて記憶する関連商品情報記憶部と、
前記店舗サーバから受信した消費者ＩＤと、購入商品情報と、を記憶する購入商品情報記憶部と、
前記消費者端末から情報配信要求を受信する情報配信要求受信部と、
前記情報配信要求受信部により受信された情報配信要求を送信した前記消費者端末が位置する店舗、又は該消費者端末付近の店舗を特定する店舗特定部と、
前記関連商品情報記憶部に記憶された商品組合せ情報のうち、前記店舗特定部により特定された店舗を表す商品情報を含む商品組合せ情報と、該商品組合せ情報に対応する前記優先度情報と、に基づいて、前記優先度情報が表す優先度が高い順に並べた商品組合せ情報を含む組合せリスト情報を生成する組合せリスト情報生成部と、
前記組合せリスト情報生成部により生成された組合せリスト情報を、前記情報配信要求を送信した前記消費者端末に送信する組合せリスト情報送信部と、
前記購入商品情報記憶部に記憶された消費者ＩＤ毎に、該消費者ＩＤに対応する複数の購入商品情報の組合せのうち、前記関連商品情報記憶部に記憶された商品組合せ情報と一致する組合せを特定し、特定された組合せと一致した商品組合せ情報に対応する前記優先度情報を、所定の度合いだけ優先度が高くなるように更新する優先度情報更新部と、を備え、
前記消費者端末は、
前記消費者端末自身が、前記店舗サーバが設置される店舗内または付近に位置するとき、情報配信要求を前記情報配信サーバに送信する情報配信要求送信部と、
前記情報配信サーバから組合せリスト情報を受信する組合せリスト情報受信部と、を備える、
ことを特徴とする情報配信システム。
【０１０５】
（付記２）
前記商品組合せ情報送信部は、商品組合せ情報に含まれる商品情報が表す商品と、関連商品情報が表す関連商品と、の組合せを推奨する度合いを表す推奨度情報を、該商品組合せ情報と対応付けて前記情報配信サーバに送信し、
前記関連商品情報記憶部は、前記店舗サーバから受信した推奨度情報を、前記商品組合せ情報と対応付けて記憶し、
前記組合せリスト情報生成部は、前記関連商品情報記憶部に記憶される商品組合せ情報のうち、前記店舗特定部により特定された店舗を表す商品情報を含む商品組合せ情報と、該商品組合せ情報に対応する前記優先度情報及び前記推奨度情報と、に基づいて、前記優先度情報が表す優先度を対応する前記推奨度情報が表す推奨度により重み付けした度合いが高い順に並べた商品組合せ情報を含む組合せリスト情報を生成する、
ことを特徴とする付記１に記載の情報配信システム。
【０１０６】
（付記３）
前記情報配信サーバは、店舗毎に、その店舗が販売する商品を関連する商品として表す関連商品情報を含む商品組合せ情報を、前記情報配信サーバに送信した前記店舗サーバが設置された店舗を表す情報と、該店舗サーバが該商品組合せ情報を前記情報配信サーバに送信した回数と、を記憶する登録回数記憶部をさらに備える、
ことを特徴とする付記１または２に記載の情報配信システム。
【０１０７】
（付記４）
複数の店舗にそれぞれ設置される複数の店舗サーバ及び消費者が使用する消費者端末にネットワークを介して接続され、該消費者端末に情報を配信する情報配信サーバであって、
前記店舗サーバが設置される店舗及び該店舗が販売する商品を表す商品情報と、該商品に関連する商品及び該関連する商品を販売する店舗を表す関連商品情報と、を含む商品組合せ情報を前記店舗サーバから受信する商品組合せ情報受信部と、
前記商品組合せ情報受信部により受信された商品組合せ情報と、前記消費者に該商品組合せ情報を提示する優先度を表す優先度情報と、を対応付けて記憶する関連商品情報記憶部と、
前記店舗サーバが設置される店舗及び前記消費者が該店舗で購入した商品を表す購入商品情報と、該消費者を識別する消費者ＩＤと、を前記店舗サーバから受信する購入商品情報受信部と、
前記購入商品情報受信部により受信された消費者ＩＤと、購入商品情報と、を記憶する購入商品情報記憶部と、
前記消費者端末から情報配信要求を受信する情報配信要求受信部と、
前記情報配信要求受信部により受信された情報配信要求を送信した前記消費者端末が位置する店舗、又は該消費者端末付近の店舗を特定する店舗特定部と、
前記関連商品情報記憶部に記憶された商品組合せ情報のうち、前記店舗特定部により特定された店舗を表す商品情報を含む商品組合せ情報と、該商品組合せ情報に対応する前記優先度情報と、に基づいて、前記優先度情報が表す優先度が高い順に並べた商品組合せ情報を含む組合せリスト情報を生成する組合せリスト情報生成部と、
前記組合せリスト情報生成部により生成された組合せリスト情報を、前記情報配信要求を送信した前記消費者端末に送信する組合せリスト情報送信部と、
前記購入商品情報記憶部に記憶された消費者ＩＤ毎に、該消費者ＩＤに対応する複数の購入商品情報の組合せのうち、前記関連商品情報記憶部に記憶された商品組合せ情報と一致する組合せを特定し、特定された組合せと一致した商品組合せ情報に対応する前記優先度情報を、所定の度合いだけ優先度が高くなるように更新する優先度情報更新部と、
を備えることを特徴とする情報配信サーバ。
【０１０８】
（付記５）
複数の店舗にそれぞれ設置される複数の店舗サーバ及び消費者が使用する消費者端末にネットワークを介して接続される情報配信サーバが該消費者端末に情報を配信する情報配信方法であって、
前記店舗サーバが設置される店舗及び該店舗が販売する商品を表す商品情報と、該商品に関連する商品及び該関連する商品を販売する店舗を表す関連商品情報と、を含む商品組合せ情報を前記店舗サーバから受信するステップと、
受信された商品組合せ情報と、前記消費者に該商品組合せ情報を提示する優先度を表す優先度情報と、を対応付けて関連商品情報記憶部に記憶させるステップと、
前記店舗サーバが設置される店舗及び前記消費者が該店舗で購入した商品を表す購入商品情報と、該消費者を識別する消費者ＩＤと、を前記店舗サーバから受信するステップと、
受信された消費者ＩＤと、購入商品情報と、を購入商品情報記憶部に記憶させるステップと、
前記消費者端末から情報配信要求を受信するステップと、
受信された情報配信要求を送信した前記消費者端末が位置する店舗、又は該消費者端末付近の店舗を特定するステップと、
前記関連商品情報記憶部に記憶された商品組合せ情報のうち、前記店舗特定部により特定された店舗を表す商品情報を含む商品組合せ情報と、該商品組合せ情報に対応する前記優先度情報と、に基づいて、前記優先度情報が表す優先度が高い順に並べた商品組合せ情報を含む組合せリスト情報を生成するステップと、
生成された組合せリスト情報を、前記情報配信要求を送信した前記消費者端末に送信するステップと、
前記購入商品情報記憶部に記憶された消費者ＩＤ毎に、該消費者ＩＤに対応する複数の購入商品情報の組合せのうち、前記関連商品情報記憶部に記憶された商品組合せ情報と一致する組合せを特定し、特定された組合せと一致した商品組合せ情報に対応する前記優先度情報を、所定の度合いだけ優先度が高くなるように更新するステップと、
を備えることを特徴とする情報配信方法。
【０１０９】
（付記６）
複数の店舗にそれぞれ設置される複数の店舗サーバ及び消費者が使用する消費者端末にネットワークを介して接続され、該消費者端末に情報を配信するコンピュータを、
前記店舗サーバが設置される店舗及び該店舗が販売する商品を表す商品情報と、該商品に関連する商品及び該関連する商品を販売する店舗を表す関連商品情報と、を含む商品組合せ情報を前記店舗サーバから受信する商品組合せ情報受信手段、
前記商品組合せ情報受信手段により受信された商品組合せ情報と、前記消費者に該商品組合せ情報を提示する優先度を表す優先度情報と、を対応付けて記憶する関連商品情報記憶手段、
前記店舗サーバが設置される店舗及び前記消費者が該店舗で購入した商品を表す購入商品情報と、該消費者を識別する消費者ＩＤと、を前記店舗サーバから受信する購入商品情報受信手段、
前記購入商品情報受信手段により受信された消費者ＩＤと、購入商品情報と、を記憶する購入商品情報記憶手段、
前記消費者端末から情報配信要求を受信する情報配信要求受信手段、
前記情報配信要求受信手段により受信された情報配信要求を送信した前記消費者端末が位置する店舗、又は該消費者端末付近の店舗を特定する店舗特定手段、
前記関連商品情報記憶手段に記憶された商品組合せ情報のうち、前記店舗特定部により特定された店舗を表す商品情報を含む商品組合せ情報と、該商品組合せ情報に対応する前記優先度情報と、に基づいて、前記優先度情報が表す優先度が高い順に並べた商品組合せ情報を含む組合せリスト情報を生成する組合せリスト情報生成手段、
前記組合せリスト情報生成手段により生成された組合せリスト情報を、前記情報配信要求を送信した前記消費者端末に送信する組合せリスト情報送信手段、
前記購入商品情報記憶手段に記憶された消費者ＩＤ毎に、該消費者ＩＤに対応する複数の購入商品情報の組合せのうち、前記関連商品情報記憶手段に記憶された商品組合せ情報と一致する組合せを特定し、特定された組合せと一致した商品組合せ情報に対応する前記優先度情報を、所定の度合いだけ優先度が高くなるように更新する優先度情報更新手段、
として機能させることを特徴とするプログラム。
【符号の説明】
【０１１０】
１      情報配信システム
１００  情報配信サーバ
１１０  送受信部
１２０  記憶部
１２１  関連商品情報管理ＤＢ
１２２  購入商品情報管理ＤＢ
１２３  消費者情報管理ＤＢ
１３０  制御部
１３１  関連商品情報取得部
１３２  購入商品情報取得部
１３３  情報配信要求受信制御部
１３４  組合せリスト情報生成部
１３５  組合せリスト情報送信制御部
１３６  優先度情報更新部
１４０  ＲＯＭ
１５０  ＲＡＭ
１６０  バス
２００  店舗サーバ
２１０  送受信部
２２０  記憶部
２３０  制御部
２３１  商品組合せ情報送信制御部
２３２  購入商品情報送信制御部
２４０  ＲＯＭ
２５０  ＲＡＭ
２６０  入力部
２７０  出力部
２８０  バス
３００  消費者端末
３１０  送受信部
３２０  記憶部
３３０  制御部
３３１  情報配信要求送信制御部
３３２  組合せリスト情報受信制御部
３４０  ＲＯＭ
３５０  ＲＡＭ
３６０  入力部
３７０  出力部
３８０  バス
４００  ネットワーク
５００  店舗内システム
５１０  店舗内ネットワーク
【図１】
0005924034.tif 000002
【図２】
0005924034.tif 000003
【図３】
0005924034.tif 000004
【図４】
0005924034.tif 000005
【図５】
0005924034.tif 000006
【図６】
0005924034.tif 000007
【図７】
0005924034.tif 000008
【図８】
0005924034.tif 000009
【図９】
0005924034.tif 000010
【図１０】
0005924034.tif 000011
【図１１】
0005924034.tif 000012
【図１２】
0005924034.tif 000013